(57)【特許請求の範囲】
【請求項１】
配送用容器の開封部に貼付される横長封印シールであって、当該封印シールの基材表面には、複数個の２次元バーコードが印刷されており、
その印刷された２次元バーコードには、配送用容器の発送者及び内容物に関する識別情報と、
当該封印シールに印刷されている２次元バーコードの印刷個数、当該配送用容器に貼付される封印シールの枚数及び２次元バーコードの総個数を表す数量情報と、
複数個の２次元バーコードをそれぞれ区別するための個別情報とが含まれていることを特徴とする横長封印シール。
【請求項２】
前記封印シールの基材表面に、前記個別情報が２次元バーコードとは別に表示されている請求項１に記載の横長封印シール。
【請求項３】
前記個別情報が、アルファベットと数字の組合せにより、複数個の２次元バーコードのそれぞれを区別するものである請求項１又は２に記載の横長封印シール。
【請求項４】
前記横長封印シールの基材が、紙、合成紙、フィルムのいずれかである請求項１〜３いずれかに記載の横長封印シール。
【請求項５】
請求項１〜４いずれかに記載の横長封印シールを、接着剤を用いて、内容物の入った配送用容器の開封部を跨ぐようにして、かつ、横長封印シールに印刷された複数個の２次元バーコードが、開封部を跨いで配送用容器の異なるそれぞれの面に少なくとも１個配置されるように貼付することを特徴とする封印方法。
【発明の詳細な説明】
【技術分野】
【０００１】
本発明は、輸送用、宅配用、廃棄物処理用の容器など、あらゆる配送用容器に貼り付けられる封印シール、封印方法、及び該封印シールを使用する認証システムに関する。より詳細には、配送用容器に貼り付けることで、配送用容器の配送時における状態異常を監視し、配送用容器の健全かつ安全な引き渡しを確認するための封印シール、封印方法、及び該封印シールを使用する認証システムに関する。
【背景技術】
【０００２】
配送物を配送業者に依頼する場合、配送物が未開梱のまま受領者に配送されることが求められている。しかし、時には包装容器が破られ開封されるような不測の事態が発生することも起こり得る。特に、食品、医薬品等の直接人体に影響を与える商品の包装容器は、安全・衛生の見地から流通過程において、故意に開封され内容物に改変が加えられることを絶対的に防止することが必要である。また、産業廃棄物等を収納したコンテナ容器は、輸送途中で開封されることなく、最終処分地まで確実に輸送され、処分されることが必要である。また、重要書類等を収納した容器は、輸送途中で絶対に開封されてはならぬものである。
【０００３】
梱包状態にある物品が運送の途中で不正に開封された場合でも、到着後に開封されたことを確認できるように、ＩＣタグラベルを梱包体の開封部に貼り付けることも考えられているが、ＩＣタグラベルを剥がす時点でＩＣタグが破壊されてしまうため、開封されなかったことの認証には使用できない。
【０００４】
また、開封されたことを非接触ＩＣタグからの通信状態により判断することができる非接触ＩＣタグラベルも提案されている（例えば、特許文献１参照）。しかしながら、ＩＣタグを包装容器の開封部に貼付した場合でも、他のラベルへの貼り替えが行われた場合や、一旦全体を剥離させてから再度貼り直しされた場合は、不正行為が行われたことがわからないという問題がある。
【先行技術文献】
【特許文献】
【０００５】
【特許文献１】特開２００２−３６２６１３号公報
【発明の開示】
【発明が解決しようとする課題】
【０００６】
本発明は、配送用容器の発送者や内容物を識別することが可能で、しかも、配送用容器に貼り付けることで、配送用容器の配送時における状態異常を監視し、配送用容器の健全かつ安全な引き渡しを確認することのできる封印シール、封印方法、及び該封印シールを使用する認証システムを提供することを目的とする。
【課題を解決するための手段】
【０００７】
上記課題を解決するため、本発明者等は鋭意検討した結果、封印シールの所定の位置に複数個の２次元バーコードを付すと共に、各２次元バーコードを配送物それぞれに固有のものとすることにより、封印シールが剥がされた場合でも、残っている２次元バーコードを読み取ることで受領者が配送物を確認することができ、しかも、封印シールの剥がしの有無を目視等で確認することにより、認証可能となることに着目した。
そこで、発送者や内容物などの識別情報に加え、封印シールに印刷された２次元バーコードに数や配送用容器に貼付された封印シールの枚数の数量情報、ならびに個々の２次元バーコードを区別するための個別情報を含む２次元バーコードを印刷して封印シールを構成することにより、前記目的を達成できることを見出し、本発明に到達した。
【０００８】
すなわち、本発明は、以下の通りである。
（１）配送用容器の開封部に貼付される横長封印シールであって、当該封印シールの基材表面には、複数個の２次元バーコードが印刷されており、その印刷された２次元バーコードには、配送用容器の発送者及び内容物に関する識別情報と、当該封印シールに印刷されている２次元バーコードの印刷個数、当該配送用容器に貼付される封印シールの枚数及び２次元バーコードの総個数を表す数量情報と、複数個の２次元バーコードをそれぞれ区別するための個別情報とが含まれていることを特徴とする横長封印シール。
（２）前記封印シールの基材表面に、前記個別情報が２次元バーコードとは別に表示されている前記（１）に記載の横長封印シール。
（３）前記個別情報が、アルファベットと数字の組合せにより、複数個の２次元バーコードのそれぞれを区別するものである前記（１）又は（２）に記載の横長封印シール。
（４）前記横長封印シールの基材が、紙、合成紙、フィルムのいずれかである前記（１）〜（３）いずれかに記載の横長封印シール。
（５）前記（１）〜（４）いずれかに記載の横長封印シールを、接着剤を用いて、内容物の入った配送用容器の開封部を跨ぐようにして、かつ、横長封印シールに印刷された複数個の２次元バーコードが、開封部を跨いで配送用容器の異なるそれぞれの面に少なくとも１個配置されるように貼付することを特徴とする封印方法。
【発明の効果】
【０００９】
本発明によれば、一つの封印シールに、配送用容器の発送者及び内容物を識別する識別情報の入った２次元バーコードを複数個、配送用容器ごとに印刷するため、梱包体の個別管理が可能で、配送用容器が識別不能な状況に陥らない封印シールを安価で提供できる。前記の２次元バーコードは、発送者の登録カードとサーバ内のデータベースを合成することで簡易に作製できるので、それを容器ごとに都度印刷するだけで、封印シールを簡単に作製できる。
また、封印シールに印刷された２次元バーコードの印刷個数と、配送用容器に貼付された封印シールの枚数を表す数量情報を、２次元バーコードに入力しておくことで、見掛けでは封印シールが剥がされたことが判然としない場合でも、２次元バーコードの数量情報を読み取り、配送用容器に残った２次元バーコードの数と照合することで、封印シールの剥がしの有無を確認することが可能となる。また、２次元バーコードには、それぞれの２次元バーコードを区別できる個別情報を入力してあるため、複製が容易ではなく、書き換えもできないため、安全である。
【００１０】
封印シールを横長に構成し、配送用容器の開封部を跨ぐように２面に貼付することにより、配送物が開封された場合でも、破損していない２次元バーコードから、発送者の住所、氏名又は名称、配送用容器の内容物、重量等の固有情報を読み取ることができる。しかも、破損した２次元バーコードがあることを目視で確認できるため、配送物が開封され不正行為が行われたことを確認できる。反対に、封印シールの剥がし跡が無く、貼付されているシールに印刷された２次元バーコードを全て読み取れる場合は、開封されていないことを確認できる。
【００１１】
配送物が中継事業所を経て配送されるような場合でも、各中継事業所において２次元バーコードを読み取ることにより、途中で配送用容器が開封されていないことや、開封され内容物の入れ替え等の不正行為が行われていないことを確認でき、不正行為が行われていた場合には、封印シールに印刷された２次元バーコードの一部がどの時点で読み取れなくなったかを追跡することにより、不正があった場所等を特定することが可能となる。
【図面の簡単な説明】
【００１２】
【図１】本発明による横長封印シールの一実施形態を示す概略構成図である。
【図２】本発明による横長封印シールの貼付例を示す図である。
【図３】登録カードの例を示す説明図である。
【図４】本発明による横長封印シールを使用する配送システムの一実施形態の構成を示す概略ブロック図である。
【図５】本発明による横長封印シールの作成手順を説明するためのフロー図である。
【図６】本発明による横長封印シールを貼付した配送物の開封確認手順を説明するためのフロー図である。
【発明を実施するための形態】
【００１３】
まず、本発明の横長封印シールについて、図面を参照して説明する。
図１は、本発明による横長封印シールの平面図、図２は本発明による横長封印シールの貼付例を示す図である。
以下、本発明による「横長封印シール」を「封印シール」と省略する。
【００１４】
また、本発明において、「配送用容器」とは、段ボール箱、プラスチック製や紙製又は木製の箱、コンテナ等、原材料、製品、廃棄物、日用品等の内容物を収納する、全ての配送用の容器を言う。
【００１５】
図１のように、本発明による封印シール１は、横長の紙、合成紙またはフィルムからなる基材２の表面に、配送用容器の発送者及び内容物に関する識別情報４を含む複数個の２次元バーコード３がプリンターインキにより印刷され、さらに、複数個の２次元バーコード３の印刷面には、配送用容器の発送者及び内容物を識別する識別情報４、封印シールに印刷された当該２次元バーコード３の所定の印刷個数（図１では２個）、配送用容器に貼付された封印シールの枚数（図１では２枚）及び２次元バーコードの総個数（図１では４個）を表す数量情報、ならびに複数個の２次元バーコードのそれぞれを区別する個別情報５が印刷されている。
封印シール１を横長に構成することで、配送用容器の開封部を跨ぐように貼付することができ、また縦長の封印シールに比べてプリンター印刷が容易である。
【００１６】
封印シール基材２の材質は、特に限定されない。紙は、破損し易い欠点はあるが安価である。紙としては、上質タック（一般的な白色のタック紙）、サーマル（感熱紙のタック紙）、ＰＯＳ（印字適正の高いタック紙）、ＯＡマルチタック（インクジェットプリント可能なタック紙）、ポストシールアート等が挙げられる。合成紙やフィルムは、割高であるが破損しにくく、カッター以外での切断はないので、認証システムには好適である。合成紙やフィルムとしては、ユポ（ＰＰ素材など）、塩ビ白（塩ビ素材）、ＰＥＴ白（ポリエチレンテレフタレート素材）、これらの材質とＯＰＰ（延伸ポリプロピレン）とのラミネート紙、ユポサーマル（白色・フィルム素材の感熱紙）等が挙げられ、これらは白色のタック紙であり、耐久性・耐水性が高い。
【００１７】
封印シール基材２の実施態様として、図示の各封印シール基材２をストレッチシール仕様とすることもできる。この場合、封印シール基材２に線状低密度ポリエチレン（ＬＬＤＰＥ）又はエチレン−酢酸ビニル共重合体フィルムをベースとした材料を使用すれば自己復元性があり、ストレッチ封印シールとして好適に使用できる。
【００１８】
複数個の２次元バーコード３は、配送用容器の発送者及び内容物を識別する識別情報４を有している。この識別情報４には、発送者の会社名、事業所名、容積、重量等の付加情報も含まれている。該付加情報は、配送物の種類及び配送方法に応じて、使用者が任意に設定すれば良く、封印シール１に印刷しても、印刷しなくても良いが、２次元バーコード３には付加情報が含まれている。
【００１９】
封印シール１を作製する場合、識別情報４を都度入力しても良いが、２次元バーコード３として印刷する、配送物の発送者を識別する識別情報４を、発送者ごとに、氏名、住所又は居所等を保有する事前登録カードを作製しておけば、予め設定された識別情報４をサーバよりダウンロードすることで、手軽に識別情報４を書き換えることが可能である。図３は、登録カードの例（ａ）、（ｂ）又は（ｃ）を示すものである。
【００２０】
また、複数個の２次元バーコード３は、封印シールに印刷される当該２次元バーコード３の印刷個数、配送用容器に貼付された封印シールの枚数及び２次元バーコードの総個数を表す数量情報を有している。この数量情報は、配送用容器毎に任意に設定することが可能であり、例えば、同じ内容物が入った配送用容器を複数個、同一場所に送る場合に、それぞれの配送用容器に対して、封印シールに印刷する２次元バーコードの数を変えることによって、あるいは貼付する封印シールの枚数を変えることによって、配送用容器毎に独自の情報を付与することができるので、配送用容器を個別に管理することが容易になる。
【００２１】
そして、２次元バーコードに入力された数量情報を読み取り、配送用容器に残る封印シール枚数や２次元バーコードの総個数と照合することにより、配送の途中で封印シールが剥がされたか否かを判定することが可能となる。
【００２２】
さらに、複数個の２次元バーコード３は、それぞれの２次元バーコードを区別するための個別情報５を有している。個別情報５の表示方法は特に限定されず、例えば、アルファベットと数字を組合せて表示することができる。図１の場合、１つの封印シールに２個の２次元バーコードが印刷され、封印シールは２枚使用するので、総個数４個の２次元バーコードの個別情報５として、Ａ−１、Ａ−２、Ｂ−１、Ｂ−２と表示する例を示している。
【００２３】
あるいは、別の一例として、１枚に２個の２次元バーコード３を印刷した封印シール１を３枚作製した場合は、それぞれの個別情報５は、Ｃ−１−１、Ｃ−１−２、Ｃ−２−１、Ｃ−２−２、Ｃ−３−１、Ｃ−３−２と表示しても良い。
【００２４】
個別情報５により、封印シールに印刷された各２次元バーコードは、それぞれに固有の情報を含むこととなり、封印シールの偽造や複製が困難となるため、配送途中での不正な開封を防止することができる。  
【００２５】
個別情報５はそれぞれの２次元バーコードに入力されていればよいが、目視によるチェックの運用に応じて、封印シールに印刷することもできる。例えば、図１において、個別情報５を封印シールの基材表面に印刷した場合、配送用容器をチェックした際に、個別情報５としてＢ−１、Ｂ−２が印刷された封印シールのみが貼付され、Ａ−１、Ａ−２の個別情報が印刷された封印シールが無いといった場合には、バーコードリーダーを用いなくても、封印シールが剥がされたことが判るため、目視による素早い確認が容易となる。
【００２６】
２次元バーコード３は、任意の大きさであって良いが、大きさによって入力できる情報量が異なることを考慮すると、最小で略１７ｍｍ×１７ｍｍの大きさの２次元バーコードが使用される。図１に示すように、２次元バーコード３は封印シール１の基材２に複数個印刷することが必要である。図１のように左右対称パターン３１，３２に限らず、左右非対称のパターンであっても勿論構わない。封印シール１に、単一の２次元バーコードしか印刷されていない場合は、２次元バーコードが剥離されてしまうと、不正行為の存在を知ることはできても、２次元バーコード３に入っている識別情報４を読み取ることができなくなるからである。
本発明のように、複数個の２次元バーコードが印刷された封印シール１を、開封部７を跨ぐようにして、異なる２面に貼付すれば、封印シール１の剥離行為や切断行為によって配送用容器６が開封されても、残った２次元バーコード３から識別情報４を読み取ることができる。更に、複数の封印シール１を貼付することで、より安全性を確保できる。
【００２７】
封印シール１を、内容物の入った配送用容器６に貼付し、封印する場合は、図２に示すように、内容物の入った配送用容器６の開封部７を跨ぐように、かつ、横長封印シール１に印刷された複数個の２次元バーコード３が、開封部７を跨いで、配送用容器６の開封面６１と、それに隣接する面６２とに配置されるように、最低１枚を貼付する。１枚の封印シールに３個以上の２次元バーコードが印刷されている場合は、一部の２次元バーコードが開封部に架かっていても良い。図２は、３枚貼付した一例であり、貼付枚数に制限はない。なお、横長封印シール１を開封部７に沿って貼付するのは、横長封印シール１がカッターで切断された場合に、２次元バーコード３を読み取ることができなくなるので好ましくない。
【００２８】
封印シール１を貼付する際に用いる接着剤としては、普通糊、強粘着糊、超強粘着糊、冷凍用糊等が用いられる。これらの接着剤の素材は特に限定されないが、天然ゴムや合成ゴムをベースポリマーとしたゴム系粘着剤、アクリル系粘着剤、シリコーン系粘着剤、ウレタン系接着剤等の接着剤が挙げられる。従って、封印シール１の基材２として、背面に接着剤が塗工され、その塗工面が離型紙等で保護されたものを用いると、封印シール１を貼付することが容易となる。
【００２９】
封印シール１のサイズは、限定されるものではないが、幅が２０ｍｍ〜５０ｍｍ程度、長さが６０ｍｍ〜２００ｍｍ程度のものであると、配送用容器６に貼付し易く、封印シール１の配送用容器６への接着性も高くなる。
【００３０】
本発明の封印シール及び封印方法により、配送用容器の健全かつ安全な引き渡しを確認するには、発送者と受領者（中継事業所等における受領者も含まれる。）は、同一ソフトを搭載したパソコン、及び、プリンター、リーダー又はスキャナーを使用することが必要である。前記プリンター、印刷インキ、リーダー又はスキャナーは、市販品を使用すれば良い。
【００３１】
リーダー又はスキャナーは、配送用容器６の大きさや形状、２次元バーコード３の大きさ、リーダー又はスキャナーの出力等によって変化するが、リーダー又はスキャナーから数センチから数十センチ以内にある複数の２次元バーコードを同時に読み取りすることもできる型を使用することで、読み取り作業負担を軽減することができる。リーダー又はスキャナーで２次元バーコードを１個ずつ読み取りすることもできる。２次元バーコード３は、配送用容器６の表面に表れているので、リーダーの読み取り動作がし易く確実性が高い。
【００３２】
次に、図４〜図６を参照して、本発明による封印シールを使用する認証システムの一実施形態について説明する。
【００３３】
図４に示すように、発送者と受領者は、同一の２次元バーコード生成ソフトウエアを搭載したパソコンを備えている。発送者は、パソコンに接続されたプリンターを備えている。受領者は、パソコンに接続されたリーダーを備えている。
【００３４】
まず、発送者は、図５に示すように、登録カードから発送者の識別情報４を読み、該識別情報を入力する（ｓｔｅｐ１）。次いで、発送用容器６の内容物の種類、重量、出荷日時等、内容物に関する識別情報４及び付加情報を入力し（ｓｔｅｐ２）、２次元バーコード生成ソフトウエアを用いて、識別情報４及び数量情報、並びに個別情報５を含む複数の２次元バーコード３を作成する（ｓｔｅｐ３）。次いで、ｓｔｅｐ３で作成した２次元バーコード３と各２次元バーコード３の個別情報（例えば、アルファベットと数字で構成された各２次元バーコードに固有の記号）５を、プリンターを用いて、シール基材２に印刷し、封印シール１を作成する（ｓｔｅｐ４）。
【００３５】
次に、発送者は、作成した封印シール１を、配送物１０の発送用容器６の所定の位置に貼付する（ｓｔｅｐ５）。
【００３６】
配送物１０が受領者に届けられると、受領者は、配送用容器６に貼付されていた封印シール１の状態を見て、剥がし跡の無いこと、シールに破損がないことを確認した後、シールの枚数と印刷されている２次元バーコードの総個数を数える。封印シールの剥がし跡やシールに破損が有る場合は、開封された可能性が高いことになる（ｓｔｅｐ６）。
【００３７】
次いで、受領者は、配送用容器６に貼付された封印シール１の２次元バーコード３を、リーダーで読み取る（ｓｔｅｐ７）。全ての２次元バーコードを読み取れない場合は、読み取り可能な２次元バーコードだけを読み取る。その結果、リーダーで全ての２次元バーコード３を読み取ることができて、かつ、２次元バーコードの総数、シールの枚数が全て満たされている場合に、発送用容器６が開封されていないことを確認できる。もし、いずれかの２次元バーコードが読み取ることができない場合は、発送用容器６が開封された恐れがある。
【００３８】
但し、封印シール１が、発送用容器６の角に貼られていたり汚れ等で読み取れない場合でも、どれかの２次元バーコードから読み取った数量情報のシールの枚数及び２次元バーコードの総個数が、上記の目視で数えた数量と一致することが確認できれば、発送用容器６は開封されていないものとみなすことができる。
また、封印シールの剥がし跡が無い場合は、２次元バーコード３を読めない封印シール１がある場合でも、各シール毎に印刷されている２次元バーコードの最低限１／２を読むことができれば、開封されていないとみなすことができる。
【００３９】
上記のｓｔｅｐ１〜ｓｔｅｐ７は、中継事業所・委託会社を経由することなく、発送者から受領者へ配送される場合を説明したものであるが、中継事業所・委託会社を経由して配送される場合も、各中継事業所・委託会社において、ｓｔｅｐ６〜ｓｔｅｐ７を実施することにより、発送用容器６が開封されていないことを確認できる。
【００４０】
本発明の認証システムでは、受領者は、封印シール１に印刷された２次元バーコード３のうち、読み取り可能なものだけを読み取るだけで良い。発送用容器６に貼付した２次元バーコードの個数は、数量情報として表示されているので、受領者は読み取り不能な２次元バーコードの数を知ることができるからである。中継事業所・委託会社等が存在する場合には、各中継事業所・委託会社等における２次元バーコードの読み取りデータを照合することにより、どこで異常事態が生じたかを知ることができる。
【００４１】
とりわけ、廃棄物の処理運搬のように、廃棄物が充填された容器が、排出者（即ち、発送者）、運搬を委託された収集運搬業者（受領者）、中間処分業者（受領者）、最終処分業者（受領者）へ順次運搬されていく場合は、排出者から収集運搬業者によって中間処分業者へ運搬される途中、及び／又は、中間処分業者から最終処分業者へ運搬される途中に異常事態が生じた場合でも、異常事態の有無や原因などを追跡調査することができる。
【実施例】
【００４２】
図１、図２、図３を参照して本発明の実施例（封印シールの作成例及び封印例）を説明する。
【００４３】
（実施例１）
予め所定の２次元バーコード生成ソフトウエアが搭載されたパソコンに、発送者の氏名、住所又は居所、内容物の種類等を入力した。パソコンに接続したプリンターを使用して、市販のＯＡ用紙をベースとした、厚み９０μｍ、幅３０ｍｍ、長さ１２０ｍｍの横長シール基材２の表面に、大きさ２０ｍｍ×２０ｍｍの２次元バーコード３を、各シール基材端部から２０ｍｍの位置に２個印刷すると同時に、印刷した２次元バーコード３の下部に、バーコードの個別情報５を印刷し、横長封印シール１を作成した（図１）。
【００４４】
配送用容器の大きさは特に規定をするものではないが、一例として、タテ、ヨコ、高さが、４００ｍｍ×４００ｍｍ×４００ｍｍの配送用容器６の開封部７の３箇所を、市販の布製ガムテープで封印した後、このガムテープの上から、市販の接着剤を用いて、或いは、予め接着剤が付いているシールを使って、上記の横長封印シール１を、２次元バーコード３が開封部７を跨ぐように、かつ２次元バーコード３１，３２が、異なる面６１，６２に位置するように、貼付した（図２）。
【００４５】
上記、実施例１において、２次元バーコードに対して、市販のリーダーを用いて、情報の読み取り試験を行ったところ、いずれも支障なく読み取りできることが確認された。
また、いずれの封印シールも、配送用容器６に対して良好な貼着状態を維持しており、荷扱い等により剥離、破損するようなことはなかった。
【産業上の利用可能性】
【００４６】
本発明の封印シール及び封印方法は、輸送用、宅配用、廃棄物処理用の容器など、あらゆる配送用容器に適用することができる。
【符号の説明】
【００４７】
１  横長封印シール
２  シール基材
３  ２次元バーコード
４  識別情報
５  個別情報
６  配送用容器
７  開封部
１０  配送物
２０  登録カード
【図１】
0005678377.tif 000002
【図２】
0005678377.tif 000003
【図３】
0005678377.tif 000004
【図４】
0005678377.tif 000005
【図５】
0005678377.tif 000006
【図６】
0005678377.tif 000007